(57)【要約】      （修正有）【課題】雨傘及び日傘の先端に吸着機を取り付け、ワンタッチで自立、及び離脱できる機能を傘に持たせる。また、この吸着機を取り付けるのは傘に限らず、吸着及び離脱を頻繁におするものには最適で、例えば杖などにも使用できるものを提供する。【解決手段】中央部に柱を有する吸盤１と、柱上部の回転軸を中心に回動可能なカム３と、そのカムと接し吸盤の中央部を上げるための支点となるベース２とを有する吸着機と、それを傘の先端に取り付ける。【選択図】  図１
2007061574.tif 000002
【特許請求の範囲】
【請求項１】
中央部に突起を有する吸盤と、前記突起に回転軸を有し、回転可能なカムと、前記吸盤の外周を押さえ、前記吸盤の中央部を上げるための支点となるベースとを有する吸着機を傘の先端に取り付けたことを特徴とする吸着機付き傘。
【請求項２】
前記吸着機の前記カムと前記吸盤の外周を連結するバーとを有することを特徴とする請求項１記載の吸着機付き傘。
【請求項３】
前記吸着機の前記吸盤中央近傍部に穴を明け、前記カムの回転により前記穴の開閉を行う弁を有することを特徴とする請求項１、または、２記載の吸着機付き傘。
【請求項４】
中央部に突起を有する吸盤と、前記突起に回転軸を有し、回転可能なカムと、前記吸盤の外周を押さえ、前記吸盤の中央部を上げるための支点となるベースとを有する吸着機にあって、前記カムと前記吸盤の外周を連結するバーを有することを特徴とする吸着機。
【請求項５】
中央部に突起を有する吸盤と、前記突起に回転軸を有し、回転可能なカムと、前記吸盤の外周を押さえ、前記吸盤の中央部を上げるための支点となるベースとを有する吸着機にあって、前記吸盤中央近傍部に穴を明け、前記カムの回転により前記穴の開閉を行う弁を有することを特徴とする吸着機。
【発明の詳細な説明】
【技術分野】
【０００１】  本発明は、降雨時や日照の強い時に用いて、雨に濡れたり、日に焼けることを防ぐ、傘に関する。
【背景技術】
【０００２】  従来の雨傘及び日傘は先端部に金属製、木製、プラスチック製等でデザインされた突起形状のものが取り付いている。しかしながら、これらは構造的には単に円柱状の突起を傘の先端に取り付けただけのものである。【０００３】  傘先端部の円柱状の突起の機能は、接地した際、傘の布中央部が汚れたり傷つかない様にすることである。ところで、傘は屋内等に入ると、不用になり、たたんで傘立てに立てるか、壁等に立てかけるか、終始手で持っていることになる。壁等に立てかけた場合、傘の先端部の突起が滑りやすく、非常に傘が倒れ易かった。【０００４】なお、本願発明に関連する公知技術として次の特許文献１を挙げることができる。【０００５】
【特許文献１】  特開２００１−４６１３０
【発明の開示】
【発明が解決しようとする課題】
【０００６】  上述の如く、従来技術に係る傘は先端が滑りやすい構造となっており、壁等に立てかけても、立っていることが困難で、風、振動等の小さな外力が加わることで、倒れてしまうという課題があった。【０００７】  本発明はこのような点を鑑みて成されたものであり、その目的は傘の先端に、カム付きの吸着機を取り付けることで、一つの動作で、床に吸着し、また、一つの動作で、床から離脱することができ、床に吸着している時は、傘が自立することができるようにすることを目的とする。
【課題を解決するための手段】
【０００８】  上述の目的を達成する本発明の吸着機付き傘は中央部に突起を有する吸盤と、前記突起上部に回転軸を有し、回転可能なカムと、前記吸盤の外周を押さえ、前記吸盤の中央部を上げるための支点となるベースとを有する吸着機を傘の先端に取り付けたことを特徴とする【０００９】  一例として、前記吸着機の前記ベースの外周の一部を切り欠き、前記切り欠き部に前記吸盤から突起を出し、前記カムと前記突起を連結するバーとを有する。
【発明の効果】
【００１０】  以上説明したように本発明によれば、傘の先端にカム付きの吸着機を付けることにより、ワンタッチで床面に傘を自立させ、また、ワンタッチで床面から離脱させることができる。従って、手で傘を終始保持する必要がなくなり、手を別の仕事に使うことができるという効果がある。尚、且つ、傘の先端が、尖っていないため、他のものを損傷する事が無く、安全性にも効果を有している。
【発明を実施するための最良の形態】
【００１１】  以下、本発明の実施の形態を図面に基づき詳細に説明する。【００１２】  図１〜図３は本発明の第一の実施の形態に係り、図１はその正面図、図２はその中央部縦断面図、図３はその吸着機の正面図である。【００１３】  図１、２、３に示すように、本吸着機付き傘は、吸盤１の柱状の突起上部の回転軸７を中心に、回転するカム３により、接地する吸盤１の外周部を押さえるベース２から吸盤１の中央部を引き上げる吸着機２０を傘の芯４の先端に取り付けたものである。【００１４】  吸着機２０のカム３の上部を傘の芯４とカシメ又はネジ等で固定し、傘の柄を持ち、カム３の回転軸７を中心に数度回転させることにより、吸盤１の中央部のみが持ち上げられ、持ち上げられた部分が真空状態となり、吸着力を大きくし、傘に外力が加えられても自立することができる。【００１５】  図４〜図７は本発明の第二の実施の形態に係り、図４〜図６に示すように、一例として、ベース２の外周を一部切り欠き、この切り欠き部１１から吸盤１の外周に突起１２を出し、回転するカム３ａと吸盤１ａの外周の突起１２をバー６で連結させ、吸盤１ａの中央部を引き上げた状態から、前記回転の反対側にカム３ａを回転すると、吸盤１ａの中央部が下がり、真空状態が解放され、吸盤１ａの外周をバー６で剥すことにより、吸盤１ａが剥れ、吸着機付き傘が容易に接地から離脱することができる。【００１６】  前記バー６の代わりに、紐又はワイヤー、または、図７に示すように複数のバー６ａを連結することにより、吸盤１ａの外周とカム３ａの連結位置を任意に選択でき、また、吸盤１ａを剥す効果及び、作用は同じである。また、ベース２ａの切り欠きの代わりに、凹形状にし、突起１２を吸盤１の法線方向に出し、バー６ａで連結しても同様な効果及び作用を有する。【００１７】  吸着機２０を床と吸着させる場合、前記カム３ａは前記ベース２ａの上面と接触しながら、回転し、吸盤１ａの中央部を最も高く引き上げた後、若干回転し、吸盤１ａを若干下げ、ストッパー５で止まる。（このことにより、傘の回動位置が安定する。）この時、ベース２ａは吸盤１ａの外周を押さえ、床と密着させている。また、吸着機２０を床から放す場合、前記カム３ａを反対側に回転し、吸盤１ａの中央部が下がり、ストッパーで止まる。この時、ベース２ａの中央部と吸盤１ａの中央部には隙間が生じる。【００１８】  図８、図９は本発明の第三の実施の形態に係る吸着機の縦断面図である。同図に示すように、本形態に係る吸着機２０では吸盤１の中央部とベース２の中央部に連なる穴を明け、前記カム３の回転により、吸盤１ｂ中央部とベース２ｂ中央部が密着及び離れることにより、吸盤１ｂ中央部の穴の開閉を弁８又は弁９で行い、床と吸盤１ｂ中央部の空間を真空状態にしたり、真空状態を解放したりすることができる。この弁８、又は弁９の形状は円錐形状又は球形状であるが、円柱形状や、それらの形状を混合した形状でも効果及び、作用は同じである。また、弁８，弁９の形状をベース２と一体化したものでも同様な効果及び作用を有する。このような吸着機２０を傘の先端に取り付けることで、一動作で傘の自立および離脱を可能にしている。【００１９】  図８，図９に示すような吸着機２０のカム３近傍にリング形状１０を設けることで、従来の傘に取り付けることができる。このリング部１０に従来の傘の先端の円柱状の突起を挿入し、圧入固定又は、接着剤で接着固定、或いは、リング部１０の側面からビスで、圧接固定等がある。このように従来の傘の先端に吸着機２０を固定することにより、従来の傘もワンタッチで床と吸着し、自立することができる。また、ワンタッチで床と離脱することが容易になる。
【実施例】
【００２０】  吸着機２０の吸盤１及びベース２の大きさは、φ４０ｍｍ〜φ７５ｍｍ程度で傘を自立させることができ、ベース２の外周に沿って凸状のリブを単数又は複数付けることにより、吸盤１と床との密閉性を上げることができる。また、吸盤１の床に接触する部分は軟質樹脂を用い、柱部分はＡＢＳ又はＰＣ−ＡＢＳ等の硬質樹脂を用いることで、吸盤１の中央部を引き上げる際、柱部分が伸びて、床と吸盤１の中央部の密閉空間が小さくなることを防止している。また、この吸着機を取り付けるのは傘に限らず、吸着及び離脱を頻繁にするものには最適で、例えば杖などにも使用することができる。【００２１】  以上、本発明の実施の形態及び実施例を説明したが、本発明の範囲はこれに限定されるものではない。例えば、吸盤１やベース２の形状を円にしているが多角形でも同じ効果を有す。カム３の形状、またストッパー５の位置、カム３の回転軸７の位置、または、バー６とカム３の位置関係、または、弁８，９の数量及び位置等は状況に応じて適宜選択されるものである。
【産業上の利用可能性】
【００２２】  本発明は雨傘及び日傘を製造、販売する分野で利用することができる。
【図面の簡単な説明】
【００２３】
【図１】  本発明の第一の実施の形態に係る吸着機付き傘の正面図である。
【図２】  図１の吸着機付き傘の中央部の縦断面図である。
【図３】  図１の吸着機付き傘の吸着機部の正面図である。
【図４】  本発明の第二の実施の形態に係る吸着機付き傘の吸着機部の正面図。
【図５】  図４の吸着機付き傘の吸着機部の縦断面図である。
【図６】  図４の吸着機付き傘の吸着機部の外観斜視図である。
【図７】  第二の実施の異なる形態の吸着機付き傘の吸着機部の縦断面図である。
【図８】  本発明の第三の実施の形態に係る吸着機付き傘の吸着機部の縦断面図。
【図９】  第三の実施の異なる形態に係る吸着機付き傘の吸着機部の縦断面図。
【符号の説明】
【００２６】  １、１ａ、１ｂ、  吸盤
２、２ａ、２ｂ、  ベース
３、３ａ、  カム
４、  傘の芯
５、  ストッパー
６、６ａ、６ｂ、  バー
７、  回転軸
８、  弁
９、  弁
１０、  リング部
１１、  切り欠き部
１２、  突起
【図１】
2007061574.tif 000003
【図２】
2007061574.tif 000004
【図３】
2007061574.tif 000005
【図４】
2007061574.tif 000006
【図５】
2007061574.tif 000007
【図６】
2007061574.tif 000008
【図７】
2007061574.tif 000009
【図８】
2007061574.tif 000010
【図９】
2007061574.tif 000011